(57)【要約】【課題】操作パネルを構成するプリント基板上のスイッチの破損を防ぎつつ、操作パネルの構成の簡素化とコンパクト化を図る。【解決手段】パネル本体１９に可動装着されるキートップ２２と、該キートップ２２の押圧に連動して押圧されるベース部２３と、該ベース部２３にボタン２０ｂが押し込まれて通電が行われるタクトスイッチ２０と、を備えた操作パネル７において、前記ベース部２３は、前記ボタン２０ｂに当接しながらこれを押し込む当接部２３ａと、該当接部２３ａより前記ボタン２０ｂが押し込まれる方向に突設したリブ部２６ａとを備え、該リブ部２６ａがタクトスイッチ２０のボタン２０ｂ以外の部分に当接して、前記キートップ２２をボタン２０ｂのストローク以上に押圧できないように規制する。【選択図】図３
2005339876.tif 000002
【特許請求の範囲】
【請求項１】
パネル本体に可動装着されるキートップと、該キートップの押圧に連動して押圧されるベース部と、該ベース部にボタンが押し込まれて通電が行われるスイッチと、を備えた操作パネルにおいて、
前記ベース部は、前記ボタンに当接しながらこれを押し込む当接部と、該当接部より前記ボタンが押し込まれる方向に突設したリブ部とを備え、該リブ部がスイッチに当接して、前記キートップをボタンのストローク以上に押圧できないように規制する、ことを特徴とする操作パネル。
【請求項２】
前記ベース部は、前記当接部からのリブ部の突出長さが、該当接部から前記スイッチが通電するまで押し込まれた時のボタンのストローク位置までの長さよりも短くなるように構成する、ことを特徴とする請求項１に記載の操作パネル。
【請求項３】
前記リブ部は、前記当接部側の内壁が面取りされて、前記スイッチのボタンと当接部とが当接するように前記ベース部をガイドする、ことを特徴とする請求項１又は請求項２に記載の操作パネル。
【発明の詳細な説明】
【技術分野】
【０００１】
本発明は、操作パネルに関し、より詳細には、操作パネルのキー操作によって押圧されるスイッチの破損を防止する操作パネルの構成に関する。
【背景技術】
【０００２】
一般に、ファクシミリ装置、複写機及びこれらを含めた複数の機能を有する複合機等の画像形成装置においては、オペレータがこれらの装置を操作するための操作パネルが、装置本体の前面や上面に備えられている。この操作パネルは、装置本体の機能の切り替えや設定等を行う操作手段としての複数のキー群や液晶パネル等が形成されている。
【０００３】
このような操作パネルのキー群のキー構造は、通常、パネル本体に可動装着されたキートップがオペレータ等に押圧されて、このキートップの押圧に連動して、基板に配設されたタクトスイッチ等のボタンが押し込まれるように構成されている。キー群を構成するキーの内でも、特にスタートキー等はオペレータに頻繁に操作される。そのため、単にキートップの操作に連動させてスイッチのボタンを押し込むような構成であれば、キートップが必要以上に押圧されると、キートップへの力がボタンを直接押し込む力となってスイッチを破損してしまうことがあった。
【０００４】
このような観点から、例えば、特許文献１に記載されるような操作パネルの構成が提案されている。
図８に示すように、この操作パネル１０７は、パネル本体１１９と、このパネル本体１１９に弾性部材１２５で一体的に連結されたキートップ１２２と、このキートップ１２２に設けられ、前記パネル本体１１９の下方に配置されたプリント基板上１２１のスイッチ１２０（ボタン１２０ａ）を押し下げる突片１２３と、を備えるものである。そして、このキートップ１２２が必要以上に押し下げられたときにプリント基板１２１に当接して、プリント基板１２１のスイッチ１２０（ボタン１２０ｂ）が突片１２３によって必要以上に押し下げられるのを規制する当接部材１２６を設けたものである（特許文献１参照）。
すなわち、この操作パネル１０７は、スイッチ１２０が必要以上に押し下げられるのを防ぐための当接部材１２６を別途設けることによって、スイッチ１２０が必要以上に押し下げられることのないようにそのストロークを規制して、スイッチ１２０が破損するのを防ぐものである。
【特許文献１】特開平９−１７２２６３号公報
【発明の開示】
【発明が解決しようとする課題】
【０００５】
なるほど、特許文献１に記載される操作パネルは、キートップに当接部材を配設して、この当接部材をプリント基板上に直接当接させるように構成し、このキートップが押圧されると、当接部材がプリント基板上に当接して、このキートップの操作に連動するボタンのストロークを規制することができる。そして、当接部材によってボタンのストロークを規制すれば、確かにスイッチの破損を防止することはできる。
【０００６】
しかし、ボタンのストロークを規制するためには、かかる当接部材をキートップからプリント基板の上面近傍に位置するように延設する必要があった。すなわち、当接部材をパネル本体近傍からプリント基板の上面にまで至るように構成する必要があり、各キーの構成が複雑になり製造コストがかかっていた。また、各キーに対応するスイッチを配設する際には、プリント基板上の空間を確保しておく必要があったため、各キーを近設して配置することができず、操作パネルのコンパクト化や簡素化を図ることが困難であった。
【０００７】
そこで、本発明においては、操作パネルに関し、前記従来の課題を解決するもので、簡易な構成で操作パネルに配設されるスイッチの破損を防ぎつつ、操作パネルの構成の簡素化とコンパクト化を図ることを目的とする。
【課題を解決するための手段】
【０００８】
本発明の解決しようとする課題は以上の如くであり、次にこの課題を解決するための手段を説明する。
【０００９】
すなわち、請求項１においては、パネル本体に可動装着されるキートップと、該キートップの押圧に連動して押圧されるベース部と、該ベース部にボタンが押し込まれて通電が行われるスイッチと、を備えた操作パネルにおいて、前記ベース部は、前記ボタンに当接しながらこれを押し込む当接部と、該当接部より前記ボタンが押し込まれる方向に突設したリブ部とを備え、該リブ部がスイッチに当接して、前記キートップをボタンのストローク以上に押圧できないように規制するものである。
【００１０】
請求項２においては、請求項１において、前記ベース部は、前記当接部からのリブ部の突出長さが、該当接部から前記スイッチが通電するまで押し込まれた時のボタンのストローク位置までの長さよりも短くなるように構成するものである。
【００１１】
請求項３においては、請求項１又は請求項２において、前記リブ部は、前記当接部側の内壁が面取りされて、前記スイッチのボタンと当接部とが当接するように前記ベース部をガイドするものである。
【発明の効果】
【００１２】
本発明の効果として、以下に示すような効果を奏する。
【００１３】
請求項１に示す構成としたので、キートップの押し過ぎを防止して、スイッチの損傷を防ぐことができる。特に、リブ部をスイッチに直接当接させるので、スイッチ（ボタン）のストロークを規制するための新たな部材を別途設ける必要がなく、操作パネルのコンパクト化及び簡素化を図ることができる。
【００１４】
請求項２に示す構成としたので、ボタンが必要以上に押し込められることなく、スイッチの損傷を効果的に防止することができる。また、リブ部の突出長さが短いため、操作パネルの組み立てや分解作業が容易となる。
【００１５】
請求項３に示す構成としたので、ベース部がスイッチに対して傾いたりぶれたりしても、当接部をスイッチのボタンに確実に当接させることができ、ひいてはスイッチの作動不良や損傷等を防止することができる。
【発明を実施するための最良の形態】
【００１６】
次に、発明の実施の形態を説明する。
図１は本発明に係る操作パネルを備えた複合機の全体的な構成を示した斜視図、図２は操作パネルの平面図、図３は操作パネルの側面図、図４は一実施例としてのスタートキーの斜視図、図５は図４のスタートキーのキートップ及びベース部の底面図、図６は操作パネルのキー操作の状態を表す側面図、図７は別実施例としてのスタートキーのキートップ及びベース部の底面図、図８は従来の操作パネルの一部拡大斜視図である。
なお、以下に、本発明に係る操作パネル７を備えた画像形成装置として、ファクシミリ機能と複写機のコピー機能を備えた複合機１について述べるが、本実施例はこれに限定されるものではなく、単なるファクシミリ装置や複写機等に適用することが可能である。
【００１７】
まず、複合機１の全体構成について、以下に説明する。
図１に示すように、複合機１は、記録部２、読取部３、記録装置４、自動原稿搬送装置８、操作パネル７等で構成されている。記録部２の上方に読取部３が配置され、該記録部２は、記録装置４及び給紙カセット５をそれぞれ上下に内装し、給紙カセット５内に収納される用紙を記録装置４へ給紙した後に、記録紙排出トレイから排出するように構成している。
【００１８】
読取部３は、読取ケース６内に原稿等の内容を読み取るための読取装置（図略）を収納しており、該読取ケース６上面に載置された原稿を読取装置により走査して、原稿の画像情報を読み取るようにしている。その一方、読取ケース６の一端部には、原稿を自動的に給紙する自動原稿搬送装置８が付設され、この自動原稿搬送装置８によって、原稿供給トレイ９に載置した原稿が、一枚ずつピックアップされて読取ケース６上面の一端部へ搬送され、静止状態の読取装置により内容が読み取られた後に、原稿排出トレイ１０へ排出される。このように、読取部３は、読取装置を走査させて静止原稿を読み取るフラットベットタイプのイメージスキャナとして用いるとともに、読取装置を位置固定して原稿を給送しながら読み取りを行うシートフィードタイプのスキャナとして用いることができるように構成されている。
【００１９】
操作パネル７は、読取ケース６の一側方に配設され、操作手段としてのキー群１１（スタートキー１２、ストップキー１３等）を操作することにより、複合機１の機能の切り替えや設定等を行うものである。具体的には、原稿内容の読み取りを行ったり、読み取った内容をファクシミリ送信する際の送信先の設定を行ったり、受信内容や読み取った内容の記録装置４による記録を行ったりするようにしている。詳細は、後述する。
【００２０】
以上のような構成において、例えば、自動原稿搬送装置８に載置した原稿をファックス送信する場合には、原稿供給トレイ９に原稿を載置し、この原稿が、給紙口で一枚ずつ分離されて自動原稿搬送装置８内へと取り込まれ、装置本体側の読取装置において原稿の画像情報が読み取られた後に排紙口から排出されて、原稿排出トレイ１０上に積載される。そして、この読み取られた画像情報が、電気信号に変換されて、電話回線を通じて相手先に送信される。また、相手側ファックス装置からの信号を画像情報に変換し、装置内部に貯溜された用紙に画像を形成して出力することも可能なように構成されている。
【００２１】
次に、本発明に係る操作パネル７の構成について、以下に詳述する。
図２に示すように、操作パネル７には装置本体の機能の切り替えや設定等を行う操作手段としてのキー群１１や液晶パネル１７等が配設されている。具体的には、原稿画像を読み取って記録紙にコピーしたり原稿内容のファクシミリ送信等を開始したり際に操作するスタートキー１２、これらの動作を途中で停止する際等に操作するストップキー１３、ファクシミリ送信先へのダイヤルの際等に操作するテンキー１４、複合機１の各種設定や操作の内容の選択・決定等を行うカーソルキー１５、ファクシミリ送信の宛先やよく使用する一連の操作手順を予め登録しておき、ワンタッチでファクシミリ送信や複数のキー入力を要する様々な操作を行うことができる複数のキー１６・１６・・・、並びに複合機１の動作状態や設定状態等を表示する液晶パネル１７等が設けられている。また、キー１６・１６・・・には、キーパネル１８・１８・・が、複数枚重ねて配置され、それぞれが開閉可能に設けられている。キーパネル１８・１８・・は、自らの開閉状態に応じて、前記キー１６・１６・・・の割り当て機能を変更させる手段とされている。
【００２２】
このような操作パネル７のキー等の配置構成は、上述したものに限定されず、多様な構成とすることができる。また、キー（スタートキー１２等）に複数の機能を持たせてもよい。かかる場合には、操作パネル７を構成するボタンやスイッチの数を減らすことができ、操作パネルをよりコンパクトに構成することができる。
【００２３】
図３乃至図５に示すように、操作パネル７は、樹脂により一体成形されたパネル本体１９に、ストロークの小さいタクトスイッチ２０・２０・・・等を備えたプリント基板２１が取り付けられる。このパネル本体１９及びプリント基板２１との間には、前記キー群１１等が配置されている。パネル本体１９には、開口部１９ａ・１９ａ・・・が貫設されており、キー群１１を構成する各キーのキートップ（キートップ２２等）が、それぞれこの開口部１９ａから突出して、可動可能に装着されている。
【００２４】
以下は、上述したキー群１１の内、主にスタートキー１２の構成について詳述する。スタートキー１２は、原稿画像を読み取って記録紙にコピーしたり原稿内容のファクシミリ送信等を開始したり際に操作するものであるため操作頻度が高く、タクトスイッチ２０が損傷する蓋然性が高いからである。ただし、キー構造はこれに限定するものではなく、キー群１１を構成する他のキー（ストップキー１３等）においても当然に適用可能である。
【００２５】
スタートキー１２は、キートップ２２、ベース部２３、フレーム部２４及び弾性部材２５等から構成されている。キートップ２２は、平面視円形、側面視凸形状に形成された鉛直方向に一定の厚さを有するように形成され、上述のように、パネル本体１９に開口された開口部１９ａから突出している。また、キートップ２２は、後述するフレーム部２４の水平フレーム２４ａに弾性部材２５を介して接続されている。ベース部２３は、このキートップ２２の中央部の真下に垂設された略円柱状部材であり、下端部（当接部２３ａ）が、後述するタクトスイッチ２０のボタン２０ｂを押圧するように構成されている。ベース部２３の詳細は、後述する。
【００２６】
フレーム部２４は、水平フレーム２４ａ及び垂直フレーム２４ｂ・２４・・・等とから構成されている。水平フレーム２４ａは、長板状部材を環状に繋ぎ合わせて平面視略矩形となるように形成され、パネル本体１９にスタートキー１２を取り付けるための取付孔２４ｃ・２４ｃ・・・（本実施例では３箇所）が下縁部に沿って上下方向にそれぞれ略等間隔に穿設されている。前記キートップ２２は、水平フレーム２４ａの略中央に位置するように、水平フレーム２４ａの内壁から突設される弾性部材２５を介して装着されている。また、垂直フレーム２４ｂ・２４ｂ・・・（本実施例では５個）は、長板状の部材より形成され、水平フレーム２４ａの下縁部に垂設されている。
【００２７】
なお、弾性部材２５について詳述すると、弾性部材２５は、円弧状に湾曲された弾性力を有する樹脂からなる板ばね等により構成されている。そして、弾性部材２５は、一端が水平フレーム２４ａの内壁に接続され、かかる接続部からキートップ２２の外周縁部の形状に沿うように延設され、他端がキートップ２２の側壁に接続される。この弾性部材２５は、キートップ２２の略中心線に対して点対称の位置に２個取り付けられ、キートップ２２を水平フレーム２４ａに対して相対位置変動不能に固設している。キートップ２２は、この弾性部材２５が弾性変形することによってフレーム部２４に対して上下方向に可動可能に装着されている。そして、キートップ２２は、装着位置からタクトスイッチ２０が通電する位置まで下方に押圧された後に、かかる押圧を開放すると、付勢力によってキートップ２２を元の位置にまで復帰するように形成されている（図６参照）。
【００２８】
フレーム部２４は、水平フレーム２４ａの上縁部がパネル本体１９の下面に当接し、取付孔２４ｃ・２４ｃ・・・を介してパネル本体１９にネジ締め固定される。プリント基板２１は、パネル本体１９の下方に突設された図外のリブにネジ締め固定される。プリント基板２１がパネル本体１９に取り付けられた状態において、フレーム部２４の垂直フレーム２４ｂの下端が、プリント基板２１の上面に当接する。このように構成することで、パネル本体１９とプリント基板２１との間でスタートキー１２を位置決めして取り付けることができ、操作パネル７におけるスタートキー１２の操作性が向上する。また、スタートキー１２は、パネル本体１９に対して着脱自在に設けられるため、例えば、弾性部材２５が損傷等しても、スタートキー１２を容易に取り替えることができる。
【００２９】
ここで、ベース部２３について、以下に詳述する。
図３乃至図６に示すように、ベース部２３は、スタートキー１２がパネル本体１９に装着された状態において、プリント基板２１に配設されたタクトスイッチ２０の垂直上方に位置するように構成されている。このタクトスイッチ２０は、スイッチ本体２０ａにボタン２０ｂが上下摺動可能に取り付けられ、ボタン２０ｂがスイッチ本体２０ａ内部に押し込まれると通電するように構成されている。ベース部２３の下端部に当接部２３ａが形成され、当接部２３ａは、ボタン２０ｂと当接しながらこれをスイッチ本体２０ａ内に押し込む。この当接部２３ａは、スタートキー１２がパネル本体１９に通常取り付けられた状態では、タクトスイッチ２０のボタン２０ｂに僅かに触れるか、もしくは、若干の間隙を有するように構成されている。
【００３０】
そして、ベース部２３には、当接部２３ａから下方に向けて、すなわちタクトスイッチ２０のボタン２０ｂがスイッチ本体２０ａに押し込まれる方向に向けてリブ部２６ａが突設されている。具体的には、このリブ部２６ａは、ベース部２３の側壁に沿って放射線状に略等間隔に配設された長板部２６・２６・・・（本実施例においては４個）の下端部に形成されている。このリブ部２６ａは、図５に示すように、ベース部２３の端部において、軸中心点Ｃから当接部２３ａの外縁部までの長さＬ１よりも、軸中心点Ｃからリブ部２６ａの内縁部までの長さＬ２の方が大きい（Ｌ２＞Ｌ１）。そして、リブ部２６ａは、ボタン２０ｂに接触しないように形成されるため、このリブ部２６ａによって妨げられることなく、当接部２３ａがボタン２０ｂを押圧することができる。また、リブ部２６ａは、下面が側面視において同一平面に位置するように形成され、前記キートップ２２が押圧されると、リブ部２６ａの下面がスイッチ本体２０ａの上面に対して略平行に当接する。
【００３１】
スタートキー１２において、キー操作が行われていない状態では、ベース部２３の当接部２３ａは、タクトスイッチ２０のボタン２０ｂの直上であってこのボタン２０ｂに接触するか、または僅かな間隙をもって位置される（図６（ａ）参照）。かかる状態からキートップ２２を上方から下方に向けて押圧していくと、弾性部材２５の付勢力に抗して、キートップ２２及びベース部２３が一体として下方に押圧される。そして、ベース部２３によって、ボタン２０ｂが当接部２３ａに当接されながら徐々にスイッチ本体２０ａ内に押し込まれ、やがてタクトスイッチ２０が通電される。
【００３２】
ベース部２３には、リブ部２６ａが当接部２３ａから下方に突出するように構成されているため、キートップ２２を上記の状態からさらに押圧すると、リブ部２６ａの下面がスイッチ本体２０ａの上面のボタン２０ｂ以外の部分に当接する。そして、リブ部２６ａがスイッチ本体２０ａに当接すると、キートップ２２がこれ以上押圧されても、当接部２３ａによってボタン２０ｂがこれ以上押し込まれることはない（図６（ｂ）参照）。
【００３３】
以上のように、スタートキー１２は、キートップ２２を押圧することによって、ボタン２０ｂを押し込んでタクトスイッチ２０を通電させつつ、このボタン２０ｂがスイッチ本体２０ａに完全に押し込まれるまでのストロークを超えて押圧されないように、リブ部２６ａがタクトスイッチ２０の上面に当接するようにして、キートップ２２がそれ以上押圧できないように規制するように構成されている。ここで、ボタン２０ｂのストロークとは、スイッチ本体２０ａ内に押し込まれたボタン２０ｂの押し込み量（長さ）である。
【００３４】
オペレータが、スタートキー１２をボタン２０ｂのストローク以上押圧した場合であっても、キートップ２２がボタン２０ｂのストローク以上には押し込められないように構成することで、キートップ２２の押し過ぎを防止して、タクトスイッチ２０の損傷を防ぐことができる。特に、ベース部２３の端部にリブ部２６ａを突出させ、ベース部２３（リブ部２６ａ）をタクトスイッチ２０（スイッチ本体２０ａ）に直接当接させるので、部材を別途設ける必要がなく、各キーを近設して配置でき、キー構造や操作パネル７のコンパクト化及び簡素化を図ることができる。
【００３５】
特に、ベース部２３（当接部２３ａ及びリブ部２６ａ）は、側面視において当接部２３ａ平面からリブ部２６ａが下方に突出する突出長さＬ３が、当接部２３ａからタクトスイッチ２０が通電するまでボタン２０ｂが押し込まれたときのストローク位置までの長さよりも短くなるように形成される。このボタン２０ｂのストローク位置とは、スイッチ本体２０ａ内にボタン２０ｂを押し込んだ状態での、タクトスイッチ２０におけるボタン２０ｂの相対位置のことである。当接部２３ａとボタン２０ｂとは接面を介して当接するため、当接部２３ａからボタン２０ｂのストローク位置までの長さを、リブ部２６ａの突出長さと比較することができる。
【００３６】
このように構成することで、少なくとも通電するまでのボタン２０ｂのストロークが確保されれば、キー操作によってタクトスイッチ２０を切り替えることができ、ボタン２０ｂが必要以上にスイッチ本体２０ａに押し込められることなく、タクトスイッチ２０の損傷を効果的に防止することができる。また、リブ部２６ａの突出長さＬ３は、パネル本体１９とプリント基板２１との間の長さやベース部２３の長手方向の長さと比べれば僅かであるため、パネル本体１９へのプリント基板２１の着脱の際にリブ部２６ａが妨げとならず、操作パネル７の組み立てや分解作業が容易となる。
【００３７】
また、リブ部２６ａには、当接部２３ａ側の内壁が面取りされて面取り部２６ｂが形成されている。この面取り部２６ｂは、面取りした形状に沿ってベース部２３をガイドして、タクトスイッチ２０のボタン２０ｂと当接部２３ａとを当接するように構成される。ベース部２３（当接部２３ａ）は、上述のようにタクトスイッチ２０の上方からボタン２０ｂを押圧するように構成されている。このキートップ２２は、フレーム部２４に対して弾性体を介して幾分不安定な状態で接続されているため、このキートップ２２に設けられたベース部２３においても、タクトスイッチ２０に対する相対位置が傾いたりぶれたりして不安定である。そこで、リブ部２６ａに面取り部２６ｂを設けて、これに沿ってベース部２３をガイドすることで、ベース部２３の当接部２３ａをタクトスイッチ２０のボタン２０ｂに確実に当接させることができる。
【００３８】
具体的には、図３乃至図５に示すように、面取り部２６ｂは、リブ部２６ａの当接部２３ａ側の側壁、すなわちベース部２３の軸心側の側壁が、下方向けてベース部２３の半径方向に広がるように面取りされて形成される。ベース部２３もしくはボタン２０ｂのいずれかが傾いたりぶれたりしている状態でキートップ２２が押圧されても、リブ部２６ａの面取り部２６ｂにボタン２０ｂが当接して、ベース部２３及びボタン２０ｂが略同一軸心上に位置するように、ベース部２３が面取り部２６ｂの形状に沿ってガイドされる。そして、やがて当接部２３ａとボタン２０ｂとが当接して、ボタン２０ｂがスイッチ本体２０ａ内に押し込まれる。
【００３９】
このように面取り部２０ｂを設けることによって、リブ部２６ａを当接部２３ａから突設して設けてキー構造を簡素化しつつ、タクトスイッチ２０のボタン２０ｂを確実に押し込むようにして、作動不良やタクトスイッチ２０の損傷等を防止することができる。また、ベース部２３をガイドする部材として、リブ部２６ａの一部を面取りして面取り部２６ｂとすることで、加工形成が容易となり、部品点数を低減することができる。
【００４０】
次に、リブ部２６ａの別実施例について、以下に説明する。
リブ部２６ａの構成としては、上述したものに限定されるものではない。例えば、図７に示すように、略円柱状に形成したベース部２３において、下面部を平面視略円形に凹設して当接部２３ａとし、その下面部の外縁部（当接部１２ａとして凹設した部分以外の部分）をリブ部２６ａとするように形成してもよい。かかる場合には、上述のようにベース部２３に長板部２６を設ける場合と比べて、スタートキー１２の加工成形が容易となる。また、リブ部２６ａがタクトスイッチ２０のスイッチ本体２０ａの上面に当接する際の当接面積が多くなるので、ベース部２３が傾いたりずれたりしても、当接部２３ａを前記ボタン２０ｂに確実に当接させ、ボタン２０ｂのストローク量を確実に規制して、タクトスイッチ２０の損傷を効果的に防止することができる。
【００４１】
なお、これらスタートキー１２を構成するキートップ２２、ベース部２３、フレーム部２４、弾性部材２５及びリブ部２６ａ等の各部材は、樹脂によって一体的に形成されるのが好ましい。このように形成することで、加工成形が容易となるため、同一部品を容易に大量生産でき製造コストを制限させることができる。
【図面の簡単な説明】
【００４２】
【図１】本発明に係る操作パネルを備えた複合機の全体的な構成を示した斜視図。
【図２】操作パネルの平面図。
【図３】操作パネルの側面図。
【図４】一実施例としてのスタートキーの斜視図。
【図５】図４のスタートキーのキートップ及びベース部の底面図。
【図６】操作パネルのキー操作の状態を表す側面図。
【図７】別実施例としてのスタートキーのキートップ及びベース部の底面図。
【図８】従来の操作パネルの一部拡大斜視図。
【符号の説明】
【００４３】
７    操作パネル
１２    スタートキー
１９    パネル本体１９
２０    タクトスイッチ
２０ａ    スイッチ本体
２０ｂ    ボタン
２１    プリント基板
２３    ベース部
２３ａ    当接部
２４    フレーム部
２５    弾性部材
２６    長板部
２６ａ    リブ部
２６ｂ    面取り部
【図１】
2005339876.tif 000003
【図２】
2005339876.tif 000004
【図３】
2005339876.tif 000005
【図４】
2005339876.tif 000006
【図５】
2005339876.tif 000007
【図６】
2005339876.tif 000008
【図７】
2005339876.tif 000009
【図８】
2005339876.tif 000010